(57)【要約】【課題】  利用者の利き手に応じたソフトウェアキーボードをタッチパネルに表示させるための操作を容易化することができる電子機器およびソフトウェアキーボード表示プログラムを提供する。【解決手段】  ＭＦＰは、タッチパネルと、タッチパネルに対する単一の押圧領域の形状を検出する押圧形状検出手段と、タッチパネルにソフトウェアキーボードを表示させるキーボード表示手段とを備え、キーボード表示手段は、押圧形状検出手段によってＳ５１において検出された形状に基づいて利用者の利き手に応じたソフトウェアキーボードをタッチパネルに表示させる（Ｓ５５）ことを特徴とする。【選択図】  図６
2017182687.tif 000002
【特許請求の範囲】
【請求項１】
タッチパネルと、
前記タッチパネルに対する単一の押圧領域の形状を検出する押圧形状検出手段と、
前記タッチパネルにソフトウェアキーボードを表示させるキーボード表示手段とを備え、
前記キーボード表示手段は、前記押圧形状検出手段によって検出された形状に基づいて利用者の利き手に応じたソフトウェアキーボードを前記タッチパネルに表示させることを特徴とする電子機器。
【請求項２】
前記キーボード表示手段によって利用者の利き手に応じたソフトウェアキーボードが決定されるために前記押圧形状検出手段によって検出される形状は、前記タッチパネルに対する操作のうち、前記押圧領域の形状の検出のためだけの専用の操作以外の特定の操作における前記押圧領域の形状であることを特徴とする請求項１に記載の電子機器。
【請求項３】
前記特定の操作は、前記ソフトウェアキーボードを前記タッチパネルに表示させるための操作であることを特徴とする請求項２に記載の電子機器。
【請求項４】
タッチパネルを備える電子機器を、
前記タッチパネルに対する単一の押圧領域の形状を検出する押圧形状検出手段、および、
前記タッチパネルにソフトウェアキーボードを表示させるキーボード表示手段として機能させ、
前記キーボード表示手段は、前記押圧形状検出手段によって検出された形状に基づいて利用者の利き手に応じたソフトウェアキーボードを前記タッチパネルに表示させることを特徴とするソフトウェアキーボード表示プログラム。
【発明の詳細な説明】
【技術分野】
【０００１】
本発明は、タッチパネルにソフトウェアキーボードを表示させる電子機器およびソフトウェアキーボード表示プログラムに関する。
【背景技術】
【０００２】
従来、利用者の利き手に応じてソフトウェアキーボードをタッチパネルに表示させる装置として、特定のキーの操作に応じてソフトウェアキーボードのキー配置を変更するもの（特許文献１参照。）が知られている。
【先行技術文献】
【特許文献】
【０００３】
【特許文献１】特開平１１−２１５２２０号公報
【発明の概要】
【発明が解決しようとする課題】
【０００４】
しかしながら、従来の技術においては、利用者の利き手に応じたソフトウェアキーボードをタッチパネルに表示させるための操作が煩雑であるという問題がある。
【０００５】
そこで、本発明は、利用者の利き手に応じたソフトウェアキーボードをタッチパネルに表示させるための操作を容易化することができる電子機器およびソフトウェアキーボード表示プログラムを提供することを目的とする。
【課題を解決するための手段】
【０００６】
本発明の電子機器は、タッチパネルと、前記タッチパネルに対する単一の押圧領域の形状を検出する押圧形状検出手段と、前記タッチパネルにソフトウェアキーボードを表示させるキーボード表示手段とを備え、前記キーボード表示手段は、前記押圧形状検出手段によって検出された形状に基づいて利用者の利き手に応じたソフトウェアキーボードを前記タッチパネルに表示させることを特徴とする。
【０００７】
この構成により、本発明の電子機器は、タッチパネルに対する単一の押圧領域の形状に基づいて利用者の利き手に応じたソフトウェアキーボードをタッチパネルに表示させるので、１本の指によってタッチパネルを押すという簡単な操作によって、利用者の利き手に応じたソフトウェアキーボードをタッチパネルに表示させることができる。したがって、本発明の電子機器は、利用者の利き手に応じたソフトウェアキーボードをタッチパネルに表示させるための操作を容易化することができる。
【０００８】
本発明の電子機器において、前記キーボード表示手段によって利用者の利き手に応じたソフトウェアキーボードが決定されるために前記押圧形状検出手段によって検出される形状は、前記タッチパネルに対する操作のうち、前記押圧領域の形状の検出のためだけの専用の操作以外の特定の操作における前記押圧領域の形状であっても良い。
【０００９】
この構成により、本発明の電子機器は、右利き用のソフトウェアキーボードと、左利き用のソフトウェアキーボードとの何れをタッチパネルに表示させるかを、押圧領域の形状の検出のためだけの専用の操作以外の特定の操作における押圧領域の形状に基づいて決定するので、利便性を向上することができる。
【００１０】
本発明の電子機器において、前記特定の操作は、前記ソフトウェアキーボードを前記タッチパネルに表示させるための操作であっても良い。
【００１１】
この構成により、本発明の電子機器は、右利き用のソフトウェアキーボードと、左利き用のソフトウェアキーボードとの何れをタッチパネルに表示させるかを、ソフトウェアキーボードをタッチパネルに表示させるための操作における押圧領域の形状、すなわち、ソフトウェアキーボードが操作されるタイミングに近い可能性が高いタイミングの押圧領域の形状に基づいて決定するので、右利き用のソフトウェアキーボードと、左利き用のソフトウェアキーボードとの何れをタッチパネルに表示させるかを適切に決定することができる。
【００１２】
本発明のソフトウェアキーボード表示プログラムは、タッチパネルを備える電子機器を、前記タッチパネルに対する単一の押圧領域の形状を検出する押圧形状検出手段、および、前記タッチパネルにソフトウェアキーボードを表示させるキーボード表示手段として機能させ、前記キーボード表示手段は、前記押圧形状検出手段によって検出された形状に基づいて利用者の利き手に応じたソフトウェアキーボードを前記タッチパネルに表示させることを特徴とする。
【００１３】
この構成により、本発明のソフトウェアキーボード表示プログラムを実行する電子機器は、タッチパネルに対する単一の押圧領域の形状に基づいて利用者の利き手に応じたソフトウェアキーボードをタッチパネルに表示させるので、１本の指によってタッチパネルを押すという簡単な操作によって、利用者の利き手に応じたソフトウェアキーボードをタッチパネルに表示させることができる。したがって、本発明のソフトウェアキーボード表示プログラムを実行する電子機器は、利用者の利き手に応じたソフトウェアキーボードをタッチパネルに表示させるための操作を容易化することができる。
【発明の効果】
【００１４】
本発明の電子機器およびソフトウェアキーボード表示プログラムは、利用者の利き手に応じたソフトウェアキーボードをタッチパネルに表示させるための操作を容易化することができる。
【図面の簡単な説明】
【００１５】
【図１】本発明の一実施の形態に係るＭＦＰの正面図である。
【図２】図１に示すＭＦＰのブロック図である。
【図３】図２に示すキーボード決定用テーブルの一例を示す図である。
【図４】図１に示すタッチパネルに対する押圧領域の一例を示す図である。
【図５】図１に示すタッチパネルに表示される入力画面の一例を示す図である。
【図６】タッチパネルにソフトウェアキーボードを表示する場合の図１に示すＭＦＰの動作のフローチャートである。
【図７】（ａ）図１に示すタッチパネルにソフトウェアキーボードを表示させるための押圧領域の一例を示す図である。  （ｂ）図７（ａ）に示す押圧領域の形状に応じたソフトウェアキーボードが表示された場合の入力画面の一例を示す図である。
【図８】（ａ）図１に示すタッチパネルにソフトウェアキーボードを表示させるための押圧領域の一例であって、図７に示す例とは異なる例を示す図である。  （ｂ）図８（ａ）に示す押圧領域の形状に応じたソフトウェアキーボードが表示された場合の入力画面の一例を示す図である。
【図９】ポップアップが表示された場合の図５に示す入力画面の一例を示す図である。
【図１０】テキストボックスに文字が入力された場合の図７に示す入力画面の一例を示す図である。
【発明を実施するための形態】
【００１６】
以下、本発明の実施の形態について、図面を用いて説明する。
【００１７】
まず、本発明の実施の形態に係る電子機器としてのＭＦＰ（Ｍｕｌｔｉｆｕｎｃｔｉｏｎ  Ｐｅｒｉｐｈｅｒａｌ）の構成について説明する。
【００１８】
図１は、本実施の形態に係るＭＦＰ１０の正面図である。図２は、ＭＦＰ１０のブロック図である。
【００１９】
図１および図２に示すように、ＭＦＰ１０は、種々の操作が入力されるボタンなどの入力デバイスである操作部１１と、種々の情報を表示する表示デバイスおよび入力デバイスであるタッチパネル１２と、用紙などの記録媒体に印刷を実行する印刷デバイスであるプリンター１３と、原稿から画像を読み取る読取デバイスであるスキャナー１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信を行うネットワーク通信デバイスであるネットワーク通信部１６と、各種の情報を記憶する半導体メモリー、ＨＤＤ（Ｈａｒｄ  Ｄｉｓｋ  Ｄｒｉｖｅ）などの不揮発性の記憶デバイスである記憶部１７と、ＭＦＰ１０全体を制御する制御部１８とを備えている。
【００２０】
記憶部１７は、タッチパネル１２にソフトウェアキーボードを表示させるためのソフトウェアキーボード表示プログラム１７ａを記憶可能である。ソフトウェアキーボード表示プログラム１７ａは、ＭＦＰ１０の製造段階でＭＦＰ１０にインストールされていても良いし、ＳＤカード、ＵＳＢ（Ｕｎｉｖｅｒｓａｌ  Ｓｅｒｉａｌ  Ｂｕｓ）メモリーなどの外部の記憶媒体からＭＦＰ１０に追加でインストールされても良いし、ネットワーク上からＭＦＰ１０に追加でインストールされても良い。
【００２１】
記憶部１７は、タッチパネル１２に表示されるソフトウェアキーボードとして、右利き用のソフトウェアキーボードと、左利き用のソフトウェアキーボードとの何れをタッチパネル１２に表示させるかを決定するためのキーボード決定用テーブル１７ｂを記憶している。
【００２２】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、記憶部１７またはＲＯＭに記憶されているプログラムを実行する。
【００２３】
制御部１８は、記憶部１７に記憶されているソフトウェアキーボード表示プログラム１７ａを実行することによって、タッチパネル１２に対する単一の押圧領域の形状を検出する押圧形状検出手段１８ａ、および、タッチパネル１２にソフトウェアキーボードを表示させるキーボード表示手段１８ｂとして機能する。
【００２４】
図３は、キーボード決定用テーブル１７ｂの一例を示す図である。
【００２５】
図３に示すように、キーボード決定用テーブル１７ｂは、押圧形状検出手段１８ａによって検出された押圧領域の形状に基づいた押圧領域の傾きと、キーボード表示手段１８ｂによって決定されるソフトウェアキーボードの種類との対応関係を示す。
【００２６】
図４は、タッチパネル１２に対する押圧領域１２ａの一例を示す図である。
【００２７】
利用者が手９０の１本の指９１（通常は人差し指）でタッチパネル１２を押すと、図４に示すようにタッチパネル１２には単一の押圧領域１２ａが生じる。すなわち、押圧領域１２ａは、タッチパネル１２のうち、利用者の指９１で押されている領域である。
【００２８】
押圧領域１２ａの形状は、通常、図４に示すように略楕円の形状となる。この楕円の長軸１２ｂと、タッチパネル１２の上下方向に延在する直線１２ｃとのなす角度１２ｄが押圧領域１２ａの傾きである。角度１２ｄは、直線１２ｃに対して反時計回りの方向の角度が正の方向の角度であり、直線１２ｃに対して時計回りの方向の角度が負の方向の角度である。
【００２９】
次に、ＭＦＰ１０の動作について説明する。
【００３０】
例えば、タッチパネル１２に図５に示す入力画面２０が表示されているものとする。
【００３１】
図５は、入力画面２０の一例を示す図である。
【００３２】
図５に示す入力画面２０は、ＭＦＰ１０への利用者のログインのために利用者のユーザー名およびパスワードが入力されるための画面である。入力画面２０は、ユーザー名が入力されるテキストボックス２１と、ユーザー名を入力するためのソフトウェアキーボードを表示させるためのキーボードボタン２２と、パスワードが入力されるテキストボックス２３と、パスワードを入力するためのソフトウェアキーボードを表示させるためのキーボードボタン２４と、利用者のログインのための処理を終了するためのキャンセルボタン２５と、テキストボックス２１に入力されたユーザー名およびテキストボックス２３に入力されたパスワードに基づいた利用者のログインの処理を実行する実行ボタン２６とを含んでいる。
【００３３】
制御部１８は、タッチパネル１２においてテキストボックス２１が押されると、操作部１１のハードウェアキーによるユーザー名の入力を受け付ける。同様に、制御部１８は、タッチパネル１２においてテキストボックス２３が押されると、操作部１１のハードウェアキーによるパスワードの入力を受け付ける。
【００３４】
制御部１８は、キーボードボタン２４が押されると、図６に示す動作を実行する。
【００３５】
図６は、タッチパネル１２にソフトウェアキーボードを表示する場合のＭＦＰ１０の動作のフローチャートである。
【００３６】
図６に示すように、押圧形状検出手段１８ａは、タッチパネル１２のうちキーボードボタン２４に対応する箇所に対する単一の押圧領域１２ａの形状を検出する（Ｓ５１）。
【００３７】
次いで、キーボード表示手段１８ｂは、Ｓ５１において検出された形状に基づいて押圧領域１２ａの傾きを判定する傾き判定処理を実行する（Ｓ５２）。
【００３８】
次いで、キーボード表示手段１８ｂは、Ｓ５２において傾きを判定することができたか否かを判断する（Ｓ５３）。
【００３９】
キーボード表示手段１８ｂは、傾きを判定することができたとＳ５３において判断すると、Ｓ５２において判定した傾きと、キーボード決定用テーブル１７ｂとに基づいてソフトウェアキーボードの種類を決定する（Ｓ５４）。例えば、Ｓ５２において判定された傾きが０度以上９０度以下である場合、キーボード表示手段１８ｂは、タッチパネル１２に表示するソフトウェアキーボードとして、右利き用のソフトウェアキーボードを決定する。また、Ｓ５２において判定された傾きが−９０度超０度未満である場合、キーボード表示手段１８ｂは、タッチパネル１２に表示するソフトウェアキーボードとして、左利き用のソフトウェアキーボードを決定する。
【００４０】
キーボード表示手段１８ｂは、Ｓ５４の処理の後、パスワードを入力するためのソフトウェアキーボードとして、Ｓ５４において決定したソフトウェアキーボードをタッチパネル１２に表示して（Ｓ５５）、図６に示す動作を終了する。
【００４１】
図７（ａ）は、ソフトウェアキーボードを表示させるための押圧領域１２ａの一例を示す図である。図７（ｂ）は、図７（ａ）に示す押圧領域１２ａの形状に応じたソフトウェアキーボード３０が表示された場合の入力画面２０の一例を示す図である。
【００４２】
ＭＦＰ１０は、図７（ａ）に示すようにキーボードボタン２４が押されると、図７（ｂ）に示すようにタッチパネル１２にソフトウェアキーボード３０を表示する。図７（ｂ）に示すように、ソフトウェアキーボード３０は、各種のソフトウェアキー３１と、ソフトウェアキーボード３０を入力画面２０上で移動させるためのボタン３２と、ソフトウェアキーボード３０を閉じるためのボタン３３とを含んでいる。
【００４３】
図７（ａ）においては、利用者は、手９０として右手でキーボードボタン２４を押している。そして、図７（ｂ）においては、右利き用のソフトウェアキーボード３０として、タッチパネル１２における右側の位置に配置されるソフトウェアキーボード３０が表示されている。図７（ｂ）に示すソフトウェアキーボード３０は、タッチパネル１２における右側の位置に配置されているので、利用者の右手で操作されている場合にこの利用者の目から見たとき、この利用者の右手や右腕によって隠れ難い。すなわち、図７（ｂ）に示すソフトウェアキーボード３０は、右利きの利用者から見易い。
【００４４】
図８（ａ）は、ソフトウェアキーボードを表示させるための押圧領域１２ａの一例であって、図７に示す例とは異なる例を示す図である。図８（ｂ）は、図８（ａ）に示す押圧領域１２ａの形状に応じたソフトウェアキーボード３０が表示された場合の入力画面２０の一例を示す図である。
【００４５】
ＭＦＰ１０は、図８（ａ）に示すようにキーボードボタン２４が押されると、図８（ｂ）に示すようにタッチパネル１２にソフトウェアキーボード３０を表示する。
【００４６】
図８（ａ）においては、利用者は、手９０として左手でキーボードボタン２４を押している。そして、図８（ｂ）においては、左利き用のソフトウェアキーボード３０として、タッチパネル１２における左側の位置に配置されるソフトウェアキーボード３０が表示されている。図８（ｂ）に示すソフトウェアキーボード３０は、タッチパネル１２における左側の位置に配置されているので、利用者の左手で操作されている場合にこの利用者の目から見たとき、この利用者の左手や左腕によって隠れ難い。すなわち、図８（ｂ）に示すソフトウェアキーボード３０は、左利きの利用者から見易い。
【００４７】
なお、図７（ｂ）および図８（ｂ）におけるソフトウェアキーボード３０は、テンキーボードであるが、テンキーボード以外のキーボードでも良い。
【００４８】
図６に示すように、キーボード表示手段１８ｂは、傾きを判定することができなかったとＳ５３において判断すると、図９に示すポップアップ４０をタッチパネル１２に表示する（Ｓ５６）。
【００４９】
図９は、ポップアップ４０が表示された場合の入力画面２０の一例を示す図である。
【００５０】
図９に示すように、ポップアップ４０は、ソフトウェアキーボード３０の種類の選択を促すためのメッセージ４１と、右利き用のソフトウェアキーボード３０を表示するための右利き用ボタン４２と、左利き用のソフトウェアキーボード３０を表示するための左利き用ボタン４３とを含んでいる。
【００５１】
図６に示すように、キーボード表示手段１８ｂは、右利き用ボタン４２が押されたか否かを判断する（Ｓ５７）。
【００５２】
キーボード表示手段１８ｂは、右利き用ボタン４２が押されていないとＳ５７において判断すると、左利き用ボタン４３が押されたか否かを判断する（Ｓ５８）。
【００５３】
キーボード表示手段１８ｂは、左利き用ボタン４３が押されていないとＳ５８において判断すると、Ｓ５７の処理を実行する。
【００５４】
キーボード表示手段１８ｂは、右利き用ボタン４２が押されたとＳ５７において判断すると、ポップアップ４０の表示を終了した（Ｓ５９）後、図７（ｂ）に示す右利き用のソフトウェアキーボード３０をタッチパネル１２に表示して（Ｓ６０）、図６に示す動作を終了する。
【００５５】
キーボード表示手段１８ｂは、左利き用ボタン４２が押されたとＳ５８において判断すると、ポップアップ４０の表示を終了した（Ｓ６１）後、図８（ｂ）に示す左利き用のソフトウェアキーボード３０をタッチパネル１２に表示して（Ｓ６２）、図６に示す動作を終了する。
【００５６】
制御部１８は、パスワードを入力するためのソフトウェアキーボード３０のソフトウェアキー３１が押されたと判定すると、押されたソフトウェアキー３１に対応する文字をテキストボックス２３に入力する。例えば、制御部１８は、「４」に対応するソフトウェアキー３１、「６」に対応するソフトウェアキー３１、「４」に対応するソフトウェアキー３１、「９」に対応するソフトウェアキー３１が順番に押されたと判定すると、図１０に示すように、「４６４９」をテキストボックス２３に入力する。
【００５７】
以上においては、キーボードボタン２４が押された場合のＭＦＰ１０の動作について説明したが、キーボードボタン２２が押された場合のＭＦＰ１０の動作についても同様である。
【００５８】
以上に説明したように、ＭＦＰ１０は、タッチパネル１２に対する単一の押圧領域１２ａの形状に基づいて利用者の利き手に応じたソフトウェアキーボード３０をタッチパネル１２に表示させるので、１本の指によってタッチパネル１２を押すという簡単な操作によって、利用者の利き手に応じたソフトウェアキーボード３０をタッチパネル１２に表示させることができる。したがって、ＭＦＰ１０は、利用者の利き手に応じたソフトウェアキーボード３０をタッチパネル１２に表示させるための操作を容易化することができる。
【００５９】
Ｓ５４において利用者の利き手に応じたソフトウェアキーボード３０が決定されるためにＳ５１において検出される押圧領域１２ａの形状は、タッチパネル１２に対する操作のうち、ソフトウェアキーボード３０をタッチパネル１２に表示させるための操作における押圧領域１２ａの形状である。したがって、ＭＦＰ１０は、右利き用のソフトウェアキーボード３０と、左利き用のソフトウェアキーボード３０との何れをタッチパネル１２に表示させるかを、ソフトウェアキーボード３０をタッチパネル１２に表示させるための操作における押圧領域１２ａの形状、すなわち、ソフトウェアキーボード３０が操作されるタイミングに近い可能性が高いタイミングの押圧領域１２ａの形状に基づいて決定するので、右利き用のソフトウェアキーボード３０と、左利き用のソフトウェアキーボード３０との何れをタッチパネル１２に表示させるかを適切に決定することができる。
【００６０】
なお、ソフトウェアキーボード３０をタッチパネル１２に表示させるための操作は、本実施の形態において、ソフトウェアキーボード３０をタッチパネル１２に表示させるためだけの専用のキーボードボタン２４が押される操作である。しかしながら、ソフトウェアキーボード３０をタッチパネル１２に表示させるための操作は、ソフトウェアキーボード３０をタッチパネル１２に表示させるためだけの専用の領域以外の領域が押される操作でも良い。例えば、キーボード表示手段１８ｂは、パスワードが入力されるためのテキストボックス２３がタッチパネル１２において押されることによって、ソフトウェアキーボード３０をタッチパネル１２に表示させても良い。
【００６１】
ソフトウェアキーボード３０をタッチパネル１２に表示させるための操作は、本実施の形態において、押圧領域１２ａの形状の検出のためだけの専用の操作以外の操作である。ＭＦＰ１０は、右利き用のソフトウェアキーボード３０と、左利き用のソフトウェアキーボード３０との何れをタッチパネル１２に表示させるかを、押圧領域１２ａの形状の検出のためだけの専用の操作以外の操作における押圧領域１２ａの形状に基づいて決定するので、押圧領域１２ａの形状の検出のためだけの専用の操作における押圧領域１２ａの形状に基づいて決定する場合と比較して、利便性を向上することができる。すなわち、ＭＦＰ１０は、ソフトウェアキーボード３０のパーソナライゼーションのための操作を容易化することができる。
【００６２】
なお、ＭＦＰ１０は、ソフトウェアキーボード３０をタッチパネル１２に表示させるための操作以外の操作であって、押圧領域１２ａの形状の検出のためだけの専用の操作以外の特定の操作における押圧領域１２ａの形状に基づいて利用者の利き手に応じたソフトウェアキーボード３０を決定しても良い。また、ＭＦＰ１０は、押圧領域１２ａの形状の検出のためだけの専用の操作における押圧領域１２ａの形状に基づいて利用者の利き手に応じたソフトウェアキーボード３０を決定しても良い。
【００６３】
右利きは、左利きと比べて、人口における割合が多い。したがって、ＭＦＰ１０は、本実施の形態において、押圧領域１２ａの傾きが０度の場合、右利き用のソフトウェアキーボード３０を表示する。しかしながら、ＭＦＰ１０は、押圧領域１２ａの傾きが０度の場合、左利き用のソフトウェアキーボード３０を表示しても良いし、Ｓ５６〜Ｓ６２の処理と同様に、ソフトウェアキーボード３０の表示前に都度、右利き用のソフトウェアキーボード３０と、左利き用のソフトウェアキーボード３０との何れを表示するかを利用者に尋ねても良い。
【００６４】
ＭＦＰ１０は、本実施の形態において、押圧領域１２ａの傾きが９０度の場合、右利き用のソフトウェアキーボード３０を表示する。しかしながら、ＭＦＰ１０は、押圧領域１２ａの傾きが９０度の場合、−９０度でもあるので、左利き用のソフトウェアキーボード３０を表示しても良いし、Ｓ５６〜Ｓ６２の処理と同様に、ソフトウェアキーボード３０の表示前に都度、右利き用のソフトウェアキーボード３０と、左利き用のソフトウェアキーボード３０との何れを表示するかを利用者に尋ねても良い。
【００６５】
ＭＦＰ１０は、本実施の形態において、押圧領域１２ａの傾きに基づいて利用者の利き手に応じたソフトウェアキーボード３０を決定している。しかしながら、ＭＦＰ１０は、押圧領域１２ａの傾き以外の押圧領域１２ａの形状に基づいて利用者の利き手に応じたソフトウェアキーボード３０を決定しても良い。
【００６６】
ソフトウェアキーボード３０は、本実施の形態において、タッチパネル１２における表示位置が変更されることによって、右利き用および左利き用が区別されている。しかしながら、ソフトウェアキーボード３０は、タッチパネル１２における表示位置に代えて、または、タッチパネル１２における表示位置に加えて、ソフトウェアキーボード３０内のソフトウェアキー３１の配置が変更されることによって、右利き用および左利き用が区別されても良い。
【００６７】
本発明の電子機器は、本実施の形態においてＭＦＰであるが、プリンター専用機、コピー専用機、ファックス専用機、スキャナー専用機など、ＭＦＰ以外の画像形成装置でも良いし、ＰＣ（Ｐｅｒｓｏｎａｌ  Ｃｏｍｐｕｔｅｒ）など、画像形成装置以外の電子機器でも良い。
【符号の説明】
【００６８】
１０  ＭＦＰ（電子機器）
１２  タッチパネル
１２ａ  押圧領域
１７ａ  ソフトウェアキーボード表示プログラム
１８ａ  押圧形状検出手段
１８ｂ  キーボード表示手段
３０  ソフトウェアキーボード
９０  手
【図１】
2017182687.tif 000003
【図２】
2017182687.tif 000004
【図３】
2017182687.tif 000005
【図４】
2017182687.tif 000006
【図５】
2017182687.tif 000007
【図６】
2017182687.tif 000008
【図７】
2017182687.tif 000009
【図８】
2017182687.tif 000010
【図９】
2017182687.tif 000011
【図１０】
2017182687.tif 000012